(57)【要約】【課題】袋本体の編地の引き裂き防止効果が高い土木工事用袋体を提供すること。【解決手段】袋本体２０が中詰材の収容部２２と、吊りロープ取付部２４と、余長部２６とを有し、吊りロープ取付部に多段的に形成された複数の縦長網目２５の縦ピッチが収容部２２に形成された基準網目２３の縦ピッチより大きい寸法関係にある。【選択図】図１
2018163303.tif 000002
【特許請求の範囲】
【請求項１】
内部に中詰材を収容可能なメッシュ状の袋本体と、前記袋本体の開口部から離隔した位置に取り付けられた吊りロープと、前記袋本体の開口部の近傍に取り付けられ口縛りロープとを具備し、袋本体の複数箇所から吊りロープの一部が引き出されて形成された複数のループ部を介して袋本体を吊り上げる土木工事用袋体であって、
前記袋本体が複数の基準網目を有する中詰材の収容部と、吊りロープを取付ける部位であって、前記収容部の上端に収容部と隣接して一体に形成された吊りロープ取付部と、口縛りロープを取付ける部位であって、該吊りロープ取付部の上端に吊りロープ取付部と隣接して一体に形成された余長部とを有し、
前記吊りロープ取付部に複数の縦長網目が多段的に形成され、
前記吊りロープ取付部に形成された複数の縦長網目の縦ピッチが前記収容部に形成された基準網目の縦ピッチより大きい寸法関係にあることを特徴とする、
土木工事用袋体。
【請求項２】
多段的に形成された前記複数の縦長網目が、前記収容部の最上位の基準網目と隣接して形成された吊りロープ挿通網目と、前記吊りロープ挿通網目の上位で吊りロープ挿通網目と隣接して形成された中間網目と、前記中間網目と余長部の最下位の基準網目と隣接して形成された緩和網目の組み合せであることを特徴とする、請求項１に記載の土木工事用袋体。
【請求項３】
前記基準網目および複数の縦長網目の展開形状が多角形を呈することを特徴とする、請求項１に記載の土木工事用袋体。
【請求項４】
前記袋本体の基準網目および吊りロープ挿通用網目の展開形状が四角形または六角形を呈することを特徴とする、請求項３に記載の土木工事用袋体。
【請求項５】
前記基準網目の開口寸法が中詰材の抜け出しを規制できる寸法であることを特徴とする、請求項１に記載の土木工事用袋体。
【請求項６】
前記袋本体が編糸を一重又は二重以上に編成したラッセル網で形成されていることを特徴とする、請求項１に記載の土木工事用袋体。
【発明の詳細な説明】
【技術分野】
【０００１】
本発明は海洋または陸上における各種土木工事に使用可能な土木工事用袋体に関する。
【背景技術】
【０００２】
図７，８を参照すると、土木工事用袋体９１の内部に石等の中詰材９５を充填して構成される土木工事用構造体９０は、１〜４トンもの大重量を有する（特許文献１〜３）。
従来の土木工事用袋体９１は、少なくともメッシュ構造の袋本体９２と、袋本体９２の開口部の近くに取り付けられた吊りロープ９３とを具備する。
袋本体９２は繊維製の編地が用いられていて、中詰材９５の漏出を規制するために、網目９６の開口寸法が５０ｍｍ前後に形成されている。
吊りロープ９３は一本のロープ材で構成され、ロープ材の一端を複数の網目に挿通しながら袋本体９２を周回させた後に、ロープ材の両端を結んで無端構造としている。
土木工事用構造体９０を所定場所へ移動する場合は、袋本体９２の複数箇所（例えば６箇所）の網目から吊りロープ９３を引き出し、引き出した複数のループ部９４をひとまとめにしてクレーン機能を有するフック９６等で吊り上げている。
【先行技術文献】
【特許文献】
【０００３】
【特許文献１】特開平１１−１３１４４７号公報
【特許文献２】特開２００８−２７４６９８号公報
【特許文献３】特開２０１２−１３１５３２号公報
【発明の概要】
【発明が解決しようとする課題】
【０００４】
従来の土木工事用袋体には次の幾つかの問題点がある。
＜１＞図８（ａ）は袋本体９２の網目９６を通じて隣り合うループ部９４ａ，９４ｂを引き出した形態を示し、同図の（ｂ）は２つのループ部９４ａ，９４ｂを吊上げた形態を示している。
ループ部９４ａ，９４ｂを吊上げると、各ループ部９４ａ，９４ｂが係留する網目９６ａ，９６ｂが互いに離隔する方向へ引っ張られる。
網目９６ａ，９６ｂの開口は中詰材９５の漏出を考慮して小さい寸法５０ｍｍ前後に形成されているため、各網目９６ａ，９６ｂが拡開できる距離が比較的短い。
そのため、網目９６ａ，９６ｂの一部の編糸が切れて編地が引き裂かれてしまうといった問題がある。
＜２＞網目２６の引き裂きを防止する方法のひとつとして、袋本体９２を構成する網地全体の網目９６の開口寸法を大きく形成することが考えられるが、網目９６の開口寸法を大きくすると、袋本体９２の網目９６を通じて中詰材９５が抜け出すといった問題が生じる。
＜３＞複数のループ部９４の引出間隔に大きな差があると、吊上げたときに袋本体９２に不均一な張力がはたらいて網目９６が裂け易い。
＜４＞網目２６の引き裂きを防止する他の方法として、網目９６の目数を１つ以上飛ばして吊りロープ９３を引き出す方法がある。
この方法では、吊りロープ９３の取付時に網目９６の数（ロープ材を通す網目数と、ロープ材を通さずに飛ばす網目数）を正確に数えなければならず、ロープ材の挿通作業に多くの時間と労力がかかるだけでなく、目数の数え間違いを生じ易い。
＜５＞さらに網目９６の目数を飛ばしてロープ材を挿通した場合の他の問題点としては、吊りロープ９３の引出位置が非常に分かりにくい。
引出位置を視認し易くするために、吊りロープ９３の引出位置に合せて編地に複数のマーキングテープを貼り付ける方法があるが、袋体の製造工程が余分に増える。【０００５】
本発明は以上の点に鑑みて成されたもので、その目的とするところは袋本体の編地の引き裂き防止効果が高く、吊りロープの挿通作業と引出し作業を簡単、かつ短時間に行える、土木工事用袋体を提供することにある。
【課題を解決するための手段】
【０００６】
本発明は、内部に中詰材を収容可能なメッシュ状の袋本体と、前記袋本体の開口部から離隔した位置に取り付けられた吊りロープと、前記袋本体の開口部の近傍に取り付けられ口縛りロープとを具備し、袋本体の複数箇所から吊りロープの一部が引き出されて形成された複数のループ部を介して袋本体を吊り上げる土木工事用袋体であって、前記袋本体が複数の基準網目を有する中詰材の収容部と、吊りロープを取付ける部位であって、前記収容部の上端に収容部と隣接して一体に形成された吊りロープ取付部と、口縛りロープを取付ける部位であって、該吊りロープ取付部の上端に吊りロープ取付部と隣接して一体に形成された余長部とを有し、前記吊りロープ取付部に複数の縦長網目が多段的に形成され、前記吊りロープ取付部に形成された複数の縦長網目の縦ピッチが前記収容部に形成された基準網目の縦ピッチより大きい寸法関係にある。
本発明の他の形態において、多段的に形成された前記複数の縦長網目が、前記収容部の最上位の基準網目と隣接して形成された吊りロープ挿通網目と、前記吊りロープ挿通網目の上位で吊りロープ挿通網目と隣接して形成された中間網目と、前記中間網目と余長部の最下位の基準網目と隣接して形成された緩和網目の組み合せである。
本発明の他の形態において、前記基準網目および複数の縦長網目の展開形状が多角形を呈している。
本発明の他の形態において、前記袋本体の基準網目および吊りロープ挿通用網目の展開形状が四角形または六角形を呈している。
本発明の他の形態において、前記基準網目の開口寸法が中詰材の抜け出しを規制できる寸法である。
本発明の他の形態において、前記袋本体が編糸を一重又は二重以上に編成したラッセル網で形成されている。
【発明の効果】
【０００７】
本発明は次の効果の少なくともひとつを得ることができる。
＜１＞吊りロープが挿通された吊りロープ取付部の複数の縦長網目に引き裂き方向へ向けた引張力が作用しても、ループ部の変位に追従するように複数の縦長網目が横長に拡開して変形するので、袋本体の編地の引き裂き防止効果が格段に高くなる。
＜２＞袋本体に形成された吊りロープ取付部の縦長網目の変形量が袋本体に形成された収容部の基準網目よりも大きいので、吊りロープを網目に挿通させる際に、面倒な目飛ばしを行う必要がなく、さらにロープ材の引出位置にマーキングテープを貼り付ける必要もなくなる。
そのため、吊りロープの挿通作業と吊りロープの引出し作業を簡単、かつ短時間に行うことができる。
【図面の簡単な説明】
【０００８】
【図１】土木工事用構造体を構成する土木工事用袋体の正面図
【図２】土木工事用構造体の吊上げ前における土木工事用袋体の編地の拡大図
【図３】土木工事用構造体の吊上げ時における土木工事用袋体の編地の拡大図
【図４】土木工事用構造体の製作方法の説明図であって、（ａ）は型枠内に土木工事用袋体をセットする工程の説明図、（ｂ）は土木工事用袋体内に中詰材を投入する工程の説明図、（ｃ）は土木工事用構造体の吊上げ工程の説明図、（ｄ）は完成した土木工事用構造体の説明図
【図５】製作途中の土木工事用構造体を開口部側から見た平面図
【図６】土木工事用構造体の吊上げ時における土木工事用袋体の上部の斜視図
【図７】本発明が前提とする土木工事用構造体の斜視図
【図８】本発明が前提とする土木工事用袋体の編地の拡大図で、（ａ）は変形前における編地の拡大図、（ｂ）は変形した編地の拡大図
【発明を実施するための形態】
【０００９】
以下に図面を参照しながら本発明について説明する。
【００１０】
＜１＞土木工事用袋体
図１を参照して説明すると、土木工事用袋体１０（以下「袋体１０」）は内部に石等の中詰材４０を充填して土木工事用構造体６０を構成するためのものである。
土木工事用袋体１０は、中詰材４０を充填するメッシュ構造の袋本体２０と、袋本体２０の開口部２１の近くに取り付けられた無端構造の吊りロープ３０と、袋本体２０の開口部２１により近い位置に取り付けられた口縛りロープ３２とを具備する。
【００１１】
＜２＞袋本体
袋本体２０は巾着袋状に形成された有底袋体であり、中詰材４０を直接収容する袋状の収容部２２と、吊りロープ３０を取付ける部位であって、収容部２２の上端に収容部２２と隣接して一体に形成された筒状の吊りロープ取付部２４と、口縛りロープ３２を取付ける部位であって、吊りロープ取付部２４の上端に吊りロープ取付部２４と隣接して一体に形成された筒状の余長部２６とを具備する。
本例では袋本体２０の全体形状が開口部２１から閉鎖された底部２８へ向けて縮径したテーパ形状を呈する形態について示すが、開口部２１から底部２２へ向けて均一径に形成した筒状の形態でもよい。
収容部２２、ロープ取付部２４および余長部２６は公知の編機により連続した編地として編成可能である。
袋本体２０の容積は使途に応じて適宜選択するが、実用上は１ｍ３〜４ｍ３の範囲が好適である。
【００１２】
＜２．１＞編地の素材
袋本体２０の編地素材としては、例えば編糸を一重又は二重以上に編成した無結節編地（例えばラッセル網、無結節網等）を使用できる。
編地の編糸としては、例えばポリエステル繊維糸、ポリアミド繊維糸、ポリアクリル繊維糸等の合繊繊維糸、又は綿糸、麻糸等の天然繊維糸等を単独又は混繊して使用できる。
実用上はポリエチレン（４００ｄ／９０本、強度１４０ｋｇｆ／２脚）等の合成繊維糸を二重に編成したラッセル網を使用できる。
袋本体２０の網目は中詰材４０を漏出しない寸法に設定してある。
【００１３】
＜２．２＞袋本体の網目
袋本体２０は六角形または菱形形の網目を有する。本例では網目が六角形を呈する場合について説明する。
袋本体２０は全体の網目が均一ではなく、吊りロープ取付部２４の網目が収容部２２および余長部２６の網目に対して縦長に形成されている。以下に詳述する。
【００１４】
＜２．２．１＞収容部と余長部の網目
図２を参照して袋本体２０の網目について説明する。
収容部２２および余長部２６は、共に全辺が均等長の六角形を呈した基準網目２３，２７で構成されている。
収容部２２の基準網目２３は中詰材４０を漏出しない寸法であり、中詰材４０の寸法により若干異なるが、実用上基準網目２３，２７の目合い寸法は２５〜５０ｍｍの範囲が好ましい。
余長部２６の基準網目２７については特別な制約がなく、本例では収容部２２の基準網目２３と同じ目合い寸法で形成されている。
【００１５】
＜２．２．２＞吊りロープ取付部の網目
吊りロープ取付部２４は、基準網目２３，２７と比べて斜辺の長さが長い六角形を呈した複数の縦長網目２５で構成されている。
【００１６】
複数の縦長網目２５は、収容部２２の最上位の基準網目２３と隣接（空間充填）する吊りロープ挿通網目２５ａと、吊りロープ挿通網目２５ａの上位で吊りロープ挿通網目２５ａと隣接する中間網目２５ｂと、中間網目２５ｂと余長部２６の最下位の基準網目２７と隣接する緩和網目２５ｃとからなり、これら複数の網目２５ａ〜２５ｃが多段的に形成されている。
【００１７】
吊りロープ挿通網目２５ａの下方斜辺と、基準網目２３の上方斜辺は共通する。
さらに吊りロープ挿通網目２５ａの上方斜辺と、中間網目２５ｂの下方斜辺は共通し、中間網目２５ｂの上方斜辺と緩和網目２５ｃの下方斜辺も共通する。
【００１８】
吊りロープ挿通網目２５ａは吊りロープ３０を挿通するための網目であり、吊りロープ３０３２の吊り上げ時に吊りロープ挿通網目２５ａが縦長から横長に変形し得るように吊りロープ挿通網目２５ａの上方斜辺は基準網目２３，２７の一辺より長く形成されている。
【００１９】
中間網目２５ｂは吊りロープ挿通網目２５ａの変形を拘束せずに自由な変形を許容させるために設けられた網目であり、中間網目２５ｂの各斜辺は基準網目２３，２７の一辺より長く形成されている。
【００２０】
緩和網目２５ｃは中間網目２５ｂを余長部２６の最下位の基準網目２７に連結するための網目であり、緩和網目２５ｃの下方斜辺は基準網目２３，２７の一辺より長く形成されている。
【００２１】
＜２．２．３＞網目ピッチの関係
編地を展張した状態における基準網目２３，２７と縦長網目２５の縦横方向へ向けたピッチについて説明する。
横ピッチについては、基準網目２３，２７と縦長網目２５が共に等しい関係にある。
縦ピッチについては、吊りロープ挿通網目２５ａが基準網目２３より大きい寸法関係にある。
すなわち、基準網目２３，２７の縦ピッチをそれぞれＰ１，Ｐ５、吊りロープ挿通網目２５ａの縦ピッチをＰ２、中間網目２５ｂの縦ピッチをＰ３、緩和網目２５ｃの縦ピッチをＰ４とした場合、縦長の吊りロープ挿通網目２５ａ、中間網目２５ｂ、緩和網目２５ｃの各縦ピッチ（Ｐ２、Ｐ３、Ｐ４）は基準網目２３，２７の縦ピッチ（Ｐ１，Ｐ５）より大きい寸法関係にある。
【００２２】
尚、本例では収容部２２の基準網目２３の縦ピッチＰ１と、余長部２７の縦ピッチＰ５は共に等しい（Ｐ１＝Ｐ５）場合について示すが、余長部２７は口縛りロープ３２を挿通できる網目であればよいので、その縦ピッチＰ５は特に制約がない。
【００２３】
基準網目２３と縦長網目２５の寸法関係を換言すれば、縦長網目２５を構成する各網目２５ａ、２５ｂ、２５ｃの全辺長は、基準網目２３の全辺長より長い寸法関係にあればよい。
【００２４】
＜３＞吊りロープ
吊りロープ３０は土木工事用構造体６０の吊上げに用いるロープ材であり、袋本体２０の開口部２１の近く吊りロープ取付部２４に周回して取り付けられている。
より具体的には、吊りロープ３０のロープ材の一端を図２に示した吊りロープ挿通網目２５ａに目飛ばしを行わずに挿通されていて、その両端を結んで無端構造になっている。
【００２５】
＜４＞口縛りロープ
口縛りロープ３２は袋本体２０の開口部２１を閉じるためのロープ材であり、余長部２６に周回して取り付けられている。
口縛りロープ３２はその両端を結んで無端構造とすることの他に、ロープ材の両端を結ばずにおいてもよい。
口縛りロープ３２は吊りロープ３０に対して上位（開口部２１により近い側）に位置していて、基準網目２７に挿通して取り付けられている。
口縛りロープ３２を吊りロープ３０の上位に位置させたのは、吊りロープ３０の影響を受けずに袋本体２０の開口部２１を閉じるためと、開口部２１の封鎖箇所が上方へ出っ張るのを回避するためである。
【００２６】
＜５＞中詰材
中詰材４０は、例えば玉石等の自然骨材、コンクリートガラ、各種廃棄物の焼成体等を使用できる。
【００２７】
［土木工事用構造体の製作方法］
つぎに図４を参照しながら袋体１０を使用した土木工事用構造体６０の製作方法について説明する。
【００２８】
＜１＞袋本体のセット（図４（ａ））
上下を開放し、逆円錐台形（すり鉢形）を呈する型枠５０を準備する。
型枠５０の内部に袋本体２０を収容する。大きく口開きした袋本体２０の開口部近くを外方へ折り返して型枠５０の上口へ被せる。
【００２９】
＜２＞中詰材の投入（図４（ｂ））
バックホウ等の重機を用いて袋本体２０の収容部２２内に所定量の中詰材４０を投入する。
収容部２２の基準網目２３が中詰材４０の抜け出ない開口寸法にしてあるので、投入された中詰材４０は袋本体２０から抜け出ない。
【００３０】
＜３＞吊りロープの引出し（図５）
袋本体２０の複数箇所（例えば６箇所）から吊りロープ３０を引出して複数のループ部３１を形成する。
吊りロープ３０が変形量の大きなロープ挿通網目２５ａに挿通してあることから、従来のように目数を正確に数えたり、引出位置にマーキングテープを貼り付けたりする必要がなく、吊りロープ３０の引出間隔は大まかでよい。
【００３１】
＜４＞吊りロープの仮吊上げ（図４（ｃ））
引き出した複数のループ部３１を集めてクレーン機能を有するフック９５に吊り掛けて僅かに吊上げる。
袋本体２０の底部が地上から僅かに浮上する程度まで複数のループ部３２を吊り上げて袋本体２０の編地の弛みをなくす。
吊りロープ３０の張力は、吊りロープ３０の内方に位置する袋本体２０の余長部２６に作用しないので、余長部２６は弛んだままである（図５）。
【００３２】
＜５＞口縛りロープの絞込み（図４（ｄ））
つぎに袋本体２０の余長部２６に挿通されている口縛りロープ３２を絞り込み、袋本体２０の開口部２１を閉じることで土木工事用構造体６０の製作を完了する。
例えば、口縛りロープ３２を２箇所から引き出して袋本体２０を絞込んだ後に、ロープが解けないように口縛りロープ３２の引き出し部分を互いに結び合う。
【００３３】
＜６＞脱型と移動
複数のループ部３１を吊上げて型枠５０から取出した土木工事用構造体６０を所定の位置へ移動する。
複数のループ部３１の吊上げに伴い、吊りロープ３０の全体に張力が付与され、その結果、袋本体３０の吊りロープ取付部２４が縮径方向に絞り込まれる。
【００３４】
＜７＞網目の割裂防止
図２に張力作用前における編地のモデル図を示し、図３に張力作用時における編地のモデル図を示し、図６に吊上げ時における土木工事用構造体６０の上部の斜視図を示す。
これらの図２，３，６を参照して吊りロープ取付部２４の網目の変形について詳しく説明する。
図２に示した左右２つのループ部３１，３１に引張力が作用して、２つのループ部３１，３１は互いに離隔する方向に引っ張られると、図３にみられるように吊りロープ取付部２４に多段的に形成された各網目２５ａ〜２５ｃが縦長から横長へと大きく変形して、左右２つのループ部３１，３１の離隔を許容する。
その結果、左右２つのループ部３１，３１が大きく離間しても、左右２つのループ部３１，３１の離間に追従して各網目２５ａ〜２５ｃが左右方向へ向けて大きく拡開する。
このとき、編糸に過大な張力が作用しないので、吊りロープ取付部２４の各網目２５ａ〜２５ｃの引き裂きを確実に防止することができる。
【００３５】
＜７．１＞網目の形状変化
図２，３を参照しながら、左右２つのループ部３１，３１を通じて吊りロープ挿通網目２５ａ，２５ａに引き裂き方向へ向けて引張力が作用した場合における各網目２５ａ〜２５ｃの形状変化について説明する。
【００３６】
＜７．１．１＞吊りロープ挿通網目の形状変化
吊りロープ挿通網目２５ａ，２５ａではその頂点位置が左右２つのループ部３１，３１に引っ張られて左右方向に拡開する。縦長の六角形を呈していた吊りロープ挿通網目２５ａは左右２つのループ部３１，３１の離間を許容しながら横長の傾倒した六角形に変形する。吊りロープ挿通網目２５ａは基準網目２３より大きい寸法関係にあるため、吊りロープ挿通網目２５ａの変形が基準網目２３によって阻害されることはない。
【００３７】
＜７．１．２＞中間網目の形状変化
吊りロープ挿通網目２５ａおよび緩和網目２５ｃと斜辺を共有する中間網目２５ｂは、各吊りロープ挿通網目２５ａの拡開変位に引き摺られて縦長の六角形から横長の略菱形に変形する。
中間網目２５ｂが変形することで、吊りロープ挿通網目２５ａの変形が阻害されない。
【００３８】
＜７．１．３＞緩和網目の形状変化
中間網目２５ｂと斜辺を共有する緩和網目２５ｃは、中間網目２５ｂの拡開変位に引き摺られて左右方向に拡開する。縦長の六角形を呈していた緩和網目２５ｃは中間網目２５ｂの変形を許容しながら横長の傾倒した六角形に変形する。
緩和網目２５ｃが基準網目２７より大きい寸法関係にあるため、緩和網目２５ｃの変形が基準網目２７によって阻害されることはない。
【００３９】
このように、ループ部３１に引っ張られて吊りロープ挿通網目２５ａに拡開力が作用すると、中間網目２５ｂおよび緩和網目２５ｃが吊りロープ挿通網目２５ａの横長変形に追従して変形する。しかも基準網目２３，２７の影響を受けずにループ部３１による引張力に応じてこれらの各網目２５ａ〜２５ｃが自由に変形し得るので、吊りロープ挿通網目２５ａの編糸が切れ難くなる。
なお、吊りロープ挿通網目２５ａおよび緩和網目２５ｃの寸法（縦ピッチＰ２，Ｐ４）が小さくなると、吊りロープ挿通網目２５ａ，２５ａの開き量が小さくなるので、吊りロープ挿通網目２５ａおよび緩和網目２５ｃの寸法は基準網目２３，２７の寸法（縦ピッチＰ１，Ｐ５）の２倍程以上の寸法関係とすることが望ましい。
【００４０】
＜７．２＞吊りロープ取付部の網目の変化量が大きい理由
例えば中間網目２５ｂと緩和網目２５ｃの省略を想定した場合には、吊りロープ挿通網目２５ａの上部の斜辺を余長部２６の基準網目２７の斜辺と共有させようとしても、斜辺の長さが相違するために編地そのものを編成することができない。
仮に編地を編成できたとしても、各基準網目２３，２７の影響を受けて吊りロープ挿通網目２５ａが左右方向へ向けて大きく拡開変形させることができない。換言すれば、中間網目２５ｂと緩和網目２５ｃを省略すると、吊りロープ挿通網目２５ａの変形量が小さくなって、編地が引き裂かれ易い。
【００４１】
これに対して、吊りロープ挿通網目２５ａ、中間網目２５ｂ、および緩和網目２５ｃの三種類の網目を組み合せることにより、基準網目２３，２７の影響を受けずに、縦長形状を活かして吊りロープ挿通網目２５ａを大きく拡開して変形させることが可能となるので、吊りロープ取付部２４の編地の引き裂きを確実に防止することができる。
【符号の説明】
【００４２】
１０・・・・・土木工事用袋体
２０・・・・・袋本体
２１・・・・・袋本体の開口部
２２・・・・・袋本体の収容部
２３・・・・・収容部の基準網目
２４・・・・・袋本体の吊りロープ取付部
２５・・・・・吊りロープ取付部の縦長網目
２５ａ・・・・吊りロープ挿通網目
２５ｂ・・・・中間網目
２５ｃ・・・・緩和網目
２６・・・・・袋本体の余長部
２７・・・・・余長部の基準網目
２８・・・・・袋本体の底部
３０・・・・・吊りロープ
３１・・・・・ループ部
３２・・・・・口縛りロープ
４０・・・・・中詰材
５０・・・・・型枠
６０・・・・・土木工事用構造体
【図１】
2018163303.tif 000003
【図２】
2018163303.tif 000004
【図３】
2018163303.tif 000005
【図４】
2018163303.tif 000006
【図５】
2018163303.tif 000007
【図６】
2018163303.tif 000008
【図７】
2018163303.tif 000009
【図８】
2018163303.tif 000010
【手続補正書】
【提出日】平成29年4月19日(2017.4.19)
【手続補正１】
【補正対象書類名】図面
【補正対象項目名】全図
【補正方法】変更
【補正の内容】
【図１】
2018163303.tif 000011
【図２】
2018163303.tif 000012
【図３】
2018163303.tif 000013
【図４】
2018163303.tif 000014
【図５】
2018163303.tif 000015
【図６】
2018163303.tif 000016
【図７】
2018163303.tif 000017
【図８】
2018163303.tif 000018
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
内部に中詰材を収容可能なメッシュ状の袋本体と、前記袋本体の開口部から離隔した位置に取り付けられた吊りロープと、前記袋本体の開口部の近傍に取り付けられ口縛りロープとを具備し、袋本体の複数箇所から吊りロープの一部が引き出されて形成された複数のループ部を介して袋本体を吊り上げる土木工事用袋体であって、
前記袋本体が複数の基準網目を有する中詰材の収容部と、吊りロープを取付ける部位であって、前記収容部の上端に収容部と隣接して一体に形成された吊りロープ取付部と、口縛りロープを取付ける部位であって、該吊りロープ取付部の上端に吊りロープ取付部と隣接して一体に形成された余長部とを有し、
前記吊りロープ取付部に複数の縦長網目が多段的に形成され、
前記吊りロープ取付部に形成された複数の縦長網目の縦ピッチが前記収容部に形成された基準網目の縦ピッチより大きい寸法関係にあると共に、
吊りロープの吊り上げ時に横長に変形する縦長網目の変形量が横長に変形する基準網目の変形量よりも大きい寸法関係にあることを特徴とする、
土木工事用袋体。
【請求項２】
多段的に形成された前記複数の縦長網目が、前記収容部の最上位の基準網目と隣接して形成された吊りロープ挿通網目と、前記吊りロープ挿通網目の上位で吊りロープ挿通網目と隣接して形成された中間網目と、前記中間網目と余長部の最下位の基準網目と隣接して形成された緩和網目の組み合せであることを特徴とする、請求項１に記載の土木工事用袋体。
【請求項３】
前記基準網目および複数の縦長網目の展開形状が多角形を呈することを特徴とする、請求項１に記載の土木工事用袋体。
【請求項４】
前記袋本体の基準網目および吊りロープ挿通用網目の展開形状が四角形または六角形を呈することを特徴とする、請求項３に記載の土木工事用袋体。
【請求項５】
前記袋本体が編糸を一重又は二重以上に編成したラッセル網で形成されていることを特徴とする、請求項１に記載の土木工事用袋体。
【手続補正２】
【補正対象書類名】明細書
【補正対象項目名】０００６
【補正方法】変更
【補正の内容】
【０００６】
本発明は、内部に中詰材を収容可能なメッシュ状の袋本体と、前記袋本体の開口部から離隔した位置に取り付けられた吊りロープと、前記袋本体の開口部の近傍に取り付けられ口縛りロープとを具備し、袋本体の複数箇所から吊りロープの一部が引き出されて形成された複数のループ部を介して袋本体を吊り上げる土木工事用袋体であって、前記袋本体が複数の基準網目を有する中詰材の収容部と、吊りロープを取付ける部位であって、前記収容部の上端に収容部と隣接して一体に形成された吊りロープ取付部と、口縛りロープを取付ける部位であって、該吊りロープ取付部の上端に吊りロープ取付部と隣接して一体に形成された余長部とを有し、前記吊りロープ取付部に複数の縦長網目が多段的に形成され、前記吊りロープ取付部に形成された複数の縦長網目の縦ピッチが前記収容部に形成された基準網目の縦ピッチより大きい寸法関係にあると共に、吊りロープの吊り上げ時に横長に変形する縦長網目の変形量が横長に変形する基準網目の変形量よりも大きい寸法関係にある。
本発明の他の形態において、多段的に形成された前記複数の縦長網目が、前記収容部の最上位の基準網目と隣接して形成された吊りロープ挿通網目と、前記吊りロープ挿通網目の上位で吊りロープ挿通網目と隣接して形成された中間網目と、前記中間網目と余長部の最下位の基準網目と隣接して形成された緩和網目の組み合せである。
本発明の他の形態において、前記基準網目および複数の縦長網目の展開形状が多角形を呈している。
本発明の他の形態において、前記袋本体の基準網目および吊りロープ挿通用網目の展開形状が四角形または六角形を呈している。
本発明の他の形態において、前記袋本体が編糸を一重又は二重以上に編成したラッセル網で形成されている。
【国際調査報告】
2018163303.tif 000019
2018163303.tif 000020
2018163303.tif 000021
2018163303.tif 000022